(57)【要約】【課題】無線ネットワークと通信アダプタ装置との通信が妨害されにくく、防水性、メンテナンス性を向上させることができる加熱調理器及び通信アダプタ装置を得る。【解決手段】通信アダプタ装置３を介して無線ネットワークに接続される加熱調理器において、通信アダプタ装置３が設置される通信アダプタ装置設置部４と、当該加熱調理器の監視制御情報を通信アダプタ装置３へ入出力する通信アダプタ通信手段２とを備え、通信アダプタ装置設置部４を、当該通信アダプタ装置設置部４に設置される通信アダプタ装置３が無線ネットワークと接続可能な位置に設けたものである。【選択図】図１
2009071527.tif 000002
【特許請求の範囲】
【請求項１】
通信アダプタ装置を介して無線ネットワークに接続される加熱調理器において、
前記通信アダプタ装置が設置される通信アダプタ装置設置部と、
当該加熱調理器の監視制御情報を前記通信アダプタ装置へ入出力する通信アダプタ通信手段と
を備え、
前記通信アダプタ装置設置部を、
当該通信アダプタ装置設置部に設置される前記通信アダプタ装置が前記無線ネットワークと接続可能な位置に設けたことを特徴とする加熱調理器。
【請求項２】
通信アダプタ装置を介して無線ネットワークに接続される加熱調理器において、
前記通信アダプタ装置が設置される通信アダプタ装置設置部と、
コイルとキャパシタとから成る少なくとも一つの共振回路と、
前記共振回路を介して前記通信アダプタ装置と非接触で接続され、当該加熱調理器の監視制御情報を送受信する通信アダプタ通信手段と、
前記共振回路を介して前記通信アダプタ装置に対して電力を非接触で供給する給電手段と
を備えたことを特徴とする加熱調理器。
【請求項３】
前記通信アダプタ装置設置部を、加熱調理器本体の前面に設けたことを特徴とする請求項１又は２記載の加熱調理器。
【請求項４】
前記通信アダプタ装置設置部を、加熱調理器本体の右側面の前面側及び左側面の前面側の少なくとも一方に設けたことを特徴とする請求項１〜３の何れかに記載の加熱調理器。
【請求項５】
加熱調理器本体の上面に上面パネルを備え、
前記通信アダプタ装置設置部を、前記上面パネルの下側に設けたことを特徴とする請求項１〜４の何れかに記載の加熱調理器。
【請求項６】
前記上面パネルは、電波の透過性が高い素材から成ることを特徴とする請求項５記載の加熱調理器。
【請求項７】
加熱調理器本体の上面に上面パネルを備え、
前記上面パネルは、前記通信アダプタ装置を格納する窪部が形成され、
前記通信アダプタ装置設置部を、前記窪部に設けたことを特徴とする請求項１〜４の何れかに記載の加熱調理器。
【請求項８】
前記通信アダプタ装置設置部は、加熱調理器本体の前面に形成されたスロットから構成され、前記スロットに前記通信アダプタ装置が挿入されることを特徴とする請求項１〜７の何れかに記載の加熱調理器。
【請求項９】
電気機器と無線ネットワークとの通信を媒介する通信アダプタ装置において、
前記無線ネットワークと通信を行うネットワーク通信手段と、
コイルとキャパシタとから成る少なくとも一つの共振回路と、
前記共振回路を介して前記電気機器と非接触で接続され、前記電気機器の監視制御情報を送受信する機器通信手段と
を備えたことを特徴とする通信アダプタ装置。
【請求項１０】
前記共振回路を介して前記電気機器から電力を非接触で受電する電源手段を更に備えたことを特徴とする請求項９記載の通信アダプタ装置。
【請求項１１】
前記各手段及び前記共振回路は、密閉型のケース内に収められたことを特徴とする請求項９又は１０記載の通信アダプタ装置。
【請求項１２】
前記各手段及び前記共振回路は、樹脂により封止されたことを特徴とする請求項９又は１０記載の通信アダプタ装置。
【請求項１３】
前記ケース又は前記樹脂は、防水性又は／及び熱伝導性の高い樹脂を用いたことを特徴とする請求項１１又は１２記載の通信アダプタ装置。
【請求項１４】
前記ケース又は前記樹脂は、電波の透過性が高い樹脂を用いたことを特徴とする請求項１１〜１３の何れかに記載の通信アダプタ装置。
【発明の詳細な説明】
【技術分野】
【０００１】
本発明は、加熱調理器及び通信アダプタ装置に関し、特に、通信アダプタ装置を介して無線ネットワークに接続される加熱調理器、及び無線ネットワークとの通信を媒介する通信アダプタ装置に関する。
【背景技術】
【０００２】
従来のネットワークに接続される電気機器として、例えば「別体の通信アダプタを介してネットワーク接続されるホームネットワーク型電気機器であって、上記通信アダプタとの間でＲＦＩＤ無線通信を行うＲＦＩＤ無線部を備えていることを特徴とするホームネットワーク型電気機器。」が提案されている（例えば、特許文献１参照）。
【０００３】
【特許文献１】特開２００４−２２８９２３号公報（請求項１）
【発明の開示】
【発明が解決しようとする課題】
【０００４】
従来の家電機器（電気機器）を監視、制御するホームシステムでは、各家電機器はホームネットワークを介して監視、制御を行うホームサーバなどのコントローラと接続される。また、ホームネットワークの通信プロトコル仕様は、エコーネットなど複数の規格が提案され、また、その通信媒体も電力線を利用したものや、電波を利用した無線方式など様々なものが提案されている。したがって、近年では家電機器が備えるべきネットワークとのインタフェースは、通信アダプタ装置として家電機器本体とは別に構成し、機器に接続する通信アダプタ装置を変更することで、様々な媒体や通信プロトコル仕様に対応可能とすることが一般的である（例えば特許文献１参照）。
【０００５】
また、こうした通信アダプタ装置と家電機器の接続方法については、洗濯機などの水周りに関連する家電機器に接続するものを想定し、家電機器と通信アダプタ装置との間の通信を、ＲＦＩＤ（Ｒａｄｉｏ  Ｆｒｅｑｕｅｎｃｙ  ＩＤｅｎｔｉｆｉｃａｔｉｏｎ）を応用することにより、物理的なコネクタを不要とし、防水対策を容易に実施可能なものが提案されている。また、通信アダプタ装置を設置する場所としては、機器が備えるＲＦＩＤの場所を示す位置表示マークが、シール、又は刻印により設けられている（例えば特許文献１参照）。
【０００６】
しかしながら従来の技術では、通信アダプタ装置の設置位置について上記のように通信アダプタ装置と家電機器との通信に配慮された設置位置が示されているが、例えば、ホームネットワークが無線システムの場合、特にＩＳＭ帯（例えば周波数が２．４ＧＨｚ周辺）の無線通信の場合においては、通信アダプタ装置の設置位置によってはホームネットワークと通信アダプタ装置との通信が妨害されて通信できなくなるという課題があった。
特に、家電機器が加熱調理器の場合には、家電機器の設置の形態が、例えばステンレスなどの金属で覆われたシステムキッチンにビルトイン（組み込み）設置されるケースが主であり、通信アダプタ装置とホームネットワークとが無線通信可能な位置に通信アダプタ装置を設置しなければならないという課題があった。
【０００７】
また、家電機器と通信アダプタ装置との通信を非接触により行う場合において、従来の技術では、家電機器と通信アダプタ装置との通信の方法にＲＦＩＤが提案されているが、通信アダプタ装置の電源については通信アダプタ装置に内蔵するものとされている。
【０００８】
しかしながら、例えば商用電源からＡＣアダプタなどを介して外部から電源を供給する場合は、接続コネクタを設ける必要があり防水対策を容易にすることができないという課題があった。
【０００９】
また、家電機器と通信アダプタ装置との接続コネクタを設けずに、ホームネットワークから受電しようとする場合、ホームネットワークが無線の場合には給電が不可能である。更に、家電機器と通信アダプタ装置との接続コネクタを設けずに、電池などで電源部を構成する場合には、電池切れによる電池交換の手間がかかりメンテナンス性が低くなるという課題があった。
【００１０】
この発明は上記のような課題を解決するためになされたもので、無線ネットワークと通信アダプタ装置との通信が妨害されにくく、防水性、メンテナンス性を向上させることができる加熱調理器及び通信アダプタ装置を得ることを目的とする。
【課題を解決するための手段】
【００１１】
本発明に係る加熱調理器は、通信アダプタ装置を介して無線ネットワークに接続される加熱調理器において、前記通信アダプタ装置が設置される通信アダプタ装置設置部と、当該加熱調理器の監視制御情報を前記通信アダプタ装置へ入出力する通信アダプタ通信手段とを備え、前記通信アダプタ装置設置部を、当該通信アダプタ装置設置部に設置される前記通信アダプタ装置が前記無線ネットワークと接続可能な位置に設けたものである。
【発明の効果】
【００１２】
本発明においては、通信アダプタ装置設置部を、当該通信アダプタ装置設置部に設置される通信アダプタ装置が前記無線ネットワークと接続可能な位置に設けたので、無線ネットワークと通信アダプタ装置との通信が妨害されにくくすることができる。
【発明を実施するための最良の形態】
【００１３】
実施の形態１．
図１は本発明の実施の形態１における誘導加熱調理器と通信アダプタ装置の構成例を示す図である。図１において、本実施の形態１における加熱調理器としての誘導加熱調理器１は、通信アダプタ装置３を介して無線ネットワークに接続されるものである。この無線ネットワーク（以下、「ホームネットワーク」ともいう）は、例えば、加熱調理器などの家電機器（電気機器）同士をネットワーク接続して相互操作・相互運用するホームネットワークシステムである。このようなホームネットワークシステムで使用する通信プロトコルとしては、例えば、エコーネット、ＨｏｍｅＰＮＡ（Ｈｏｍｅ  Ｐｈｏｎｅｌｉｎｅ  Ｎｅｔｗｏｒｋｉｎｇ  Ａｌｌｉａｎｃｅ）、ＨＡＶｉ（Ｈｏｍｅ  Ａｕｄｉｏ  Ｖｉｄｅｏ  Ｉｎｔｅｒｏｐｅｒａｂｉｌｉｔｙ）等の任意の方式を用いることができる。
【００１４】
図１において、誘導加熱調理器１は、当該誘導加熱調理器１の監視制御情報を通信アダプタ装置３へ入出力する通信アダプタ通信手段２と、通信アダプタ装置３が設置される通信アダプタ装置設置部４と、誘導加熱調理器制御手段５と、誘導加熱手段６と、通信アダプタ装置３に電力を給電する給電手段８とから構成される。そして、通信アダプタ装置設置部４は、通信アダプタ装置３を接続するためのコネクタなどの接続、据付機構を有しており、電気的、物理的に通信アダプタ装置３と誘導加熱調理器１とが接続される。また、誘導加熱調理器制御手段５は、誘導加熱手段６を含む誘導加熱調理器１全体の制御を行う。例えば、図示しない操作スイッチなどにより、ユーザにより加熱量が設定され、当該設定値に従って誘導加熱調理器制御手段５によって誘導加熱手段６を制御する。
尚、図１においては、誘導加熱調理器１の主な構成要素のみを図示しており、加熱量を設定する操作手段や電源部など、誘導加熱調理器としての機能や手段を当然備えるものであるが、特段特徴を有するものでないため本実施の形態においては説明を割愛する。
【００１５】
尚、本実施の形態１では、加熱調理器として誘導加熱を行う誘導加熱調理器について説明するが、本発明はこれに限らず、例えば電気抵抗体等の加熱体により加熱を行う加熱調理器であっても良い。
【００１６】
通信アダプタ装置３は、電気機器としての誘導加熱調理器１と無線ネットワークとの通信を媒介するものであり、無線ネットワークと通信を行うネットワーク通信手段７と、誘導加熱調理器１と通信アダプタ装置設置部４にて接続され、誘導加熱調理器１の監視制御情報を送受信する機器通信手段９と、誘導加熱調理器１から電力を受電する電源手段１０と、通信アダプタ装置３全体を管理する制御手段１１とから構成される。
【００１７】
次に、誘導加熱調理器１の通信アダプタ装置設置部４の配置について説明する。
誘導加熱調理器１は、通常システムキッチンにビルトイン設置される場合が多く、この場合には、周囲を例えばステンレス製の天板などの無線通信において電波を遮蔽するものに囲まれることとなる。よって、通信アダプタ装置設置部４は、当該通信アダプタ装置設置部４に設置される通信アダプタ装置３が無線ネットワークと接続可能な位置に設けられている。つまり、通信アダプタ装置３を接続した場合に通信アダプタ装置３のネットワーク通信手段７から発する電波が遮蔽されない位置に、通信アダプタ装置設置部４は設けられている。
【００１８】
このような構成により、誘導加熱調理器１に通信アダプタ装置３を接続し、後述する動作により、ホームネットワークを介して、遠隔から誘導加熱調理器１の加熱量の調整や、電源の入り切り、更に、遠隔での誘導加熱調理器１の運転状態を監視するなど監視制御が可能となる。
このような動作の詳細を、誘導加熱調理器１の運転状態を遠隔で監視する場合を例に、次に説明する。
【００１９】
誘導加熱調理器１の運転状態は誘導加熱調理器制御手段５によって管理されており、誘導加熱調理器制御手段５から通信アダプタ通信手段２に、監視制御情報として、誘導加熱調理器１の運転状態の情報が入力される。
通信アダプタ通信手段２は、入力された運転状態の情報を、通信アダプタ装置設置部４を介して、通信アダプタ装置３の機器通信手段９に入力する。
【００２０】
通信アダプタ装置３は、制御手段１１によって通信アダプタ装置３全体が管理されており、制御手段１１は、機器通信手段９に入力された誘導加熱調理器１の運転状態の情報をネットワーク通信手段７に入力させる。そしてネットワーク通信手段７は、入力された運転状態の情報を無線ネットワークに送信する。そして、ホームネットワークに接続された、図示しないコントローラなどにより、誘導加熱調理器１の運転状態が監視される。
【００２１】
更に、誘導加熱調理器１の給電手段８は、通信アダプタ装置設置部４を介し、電源手段１０に対して通信アダプタ装置３の電源を供給する。尚、本実施の形態１では、誘導加熱調理器１から通信アダプタ装置３に給電する形態を示したが、これに限らず、通信アダプタ装置３に別途独立した電源手段を設けても良い。
【００２２】
尚、本実施の形態１では、誘導加熱調理器１の運転状態の情報をホームネットワークに送信する場合の例を示したが、ホームネットワークから誘導加熱調理器１の運転状態を制御する場合は、本実施の形態１の動作とは逆の方向の動作、即ち、通信アダプタ装置３のネットワーク通信手段７により受信した制御情報が、機器通信手段９及び通信アダプタ通信手段２を介して、誘導加熱調理器１の誘導加熱調理器制御手段５に入力される。ここでは、詳細な説明は割愛する。
【００２３】
以上のように本実施の形態１においては、誘導加熱調理器１は、通信アダプタ装置３を介して無線ネットワークに接続されるので、誘導加熱調理器１をホームネットワークに接続することが可能となり、遠隔制御や監視などのサービスを提供することが可能となる。
【００２４】
また、通信アダプタ装置設置部４を、当該通信アダプタ装置設置部４に設置される通信アダプタ装置３が無線ネットワークと接続可能な位置に設けたので、ホームネットワークが無線方式の場合であっても、ホームネットワークと通信アダプタ装置３との通信が妨害されにくくすることができ、ホームネットワークによるサービスを安定して提供することが可能となる。
【００２５】
実施の形態２．
図２は本発明の実施の形態２における誘導加熱調理器と通信アダプタ装置の構成例を示す図である。図２においては、上述した実施の形態１（図１）と同じ又はこれに相当するものには同じ番号を付し、詳細な説明は省略する。
【００２６】
図２において、本実施の形態２における誘導加熱調理器１は、上述した実施の形態１の構成に加え、コイルとキャパシタとから成る共振回路である機器側共振回路１２を少なくとも一つ備えている。また、本実施の形態２における通信アダプタ装置３は、上述した実施の形態１の構成に加え、コイルとキャパシタとから成る共振回路である通信アダプタ装置側共振回路１３を少なくとも一つ備えている。
【００２７】
そして、本実施の形態２における誘導加熱調理器１の通信アダプタ通信手段２は、機器側共振回路１２を介して通信アダプタ装置３と非接触で接続され、当該誘導加熱調理器１の監視制御情報を送受信する。また、給電手段８は、機器側共振回路１２を介して通信アダプタ装置３に対して電力を非接触で供給する。
【００２８】
また、本実施の形態２における通信アダプタ装置３の機器通信手段９は、通信アダプタ装置側共振回路１３を介して誘導加熱調理器１と例えば電磁誘導結合により非接触で接続され、誘導加熱調理器１の監視制御情報を送受信する。また、電源手段１０は、通信アダプタ装置側共振回路１３を介して誘導加熱調理器１から電力を非接触で受電する。
尚、機器側共振回路１２と通信アダプタ装置側共振回路１３との通信には、例えばＲＦＩＤ無線通信を用いることができる。このＲＦＩＤ無線通信は既知の技術であるので詳細な説明は省略する。
【００２９】
更に、本実施の形態３における通信アダプタ装置３の各手段及び共振回路は、密閉型のケース内に収められており、この密閉型のケースは、防水性の高い樹脂を用いている。これにより、誘導加熱調理器１が設置される台所などでは水分や油分などによる汚れが発生しやすいことから、通信アダプタ装置３の防水性、清掃性を高めることが可能となる。
尚、上述した密閉型のケースに限らず、通信アダプタ装置３の各手段及び共振回路を防水性の高い樹脂で封止しても良い。
【００３０】
また、上記密閉型のケース又は封止される樹脂は、熱伝導性の高い樹脂を使用してもよい。これにより、誘導加熱調理器１に設置されて周囲の温度条件は高い場合であっても、通信アダプタ装置３の内部回路などの発熱を通信アダプタ装置３全体で放熱することが可能となり、通信アダプタ装置３の放熱性を高め、誤動作を防止することが可能である。
【００３１】
また、上記密閉型のケース又は封止される樹脂を、電波の透過性が高い樹脂を用いても良い。これにより、ケース又は封止された樹脂により、ネットワーク通信手段７とホームネットワークとの通信が妨害されにくくすることが可能となる。
【００３２】
このような構成により、誘導加熱調理器１に通信アダプタ装置３を非接触で接続し、後述する動作により、ホームネットワークを介して、遠隔から誘導加熱調理器１の加熱量の調整や、電源の入り切り、更に、遠隔での誘導加熱調理器１の運転状態を監視するなど監視制御が可能となる。
このような動作の詳細を、誘導加熱調理器１の運転状態を遠隔で監視する場合を例に、上述した実施の形態１との相違点を中心に次に説明する。
【００３３】
通信アダプタ装置３の電源は、誘導加熱調理器１の給電手段８によって機器側共振回路１２に入力され、通信アダプタ装置設置部４を介して通信アダプタ装置側共振回路１３と電磁誘導により結合されて電源手段１０に供給される。
そして、上述した実施の形態１と同様に、誘導加熱調理器制御手段５から通信アダプタ通信手段２に、監視制御情報として、誘導加熱調理器１の運転状態の情報が入力される。
通信アダプタ通信手段２に入力された運転状態の情報は、通信アダプタ通信手段２により変調され、機器側共振回路１２に入力される。この変調された運転状態の情報は、機器側共振回路１２と電磁誘導結合により接続された通信アダプタ装置側共振回路１３を介して、機器通信手段９に入力される。そして機器通信手段９により復調された運転状態情報は、制御手段１１に入力される。以降の動作は、上述した実施の形態１と同様に、ネットワーク通信手段７により運転状態の情報が無線ネットワークに送信される。
【００３４】
尚、本実施の形態２では、誘導加熱調理器１の運転状態の情報をホームネットワークに送信する場合の例を示したが、ホームネットワークから誘導加熱調理器１の運転状態を制御する場合は、本実施の形態２の動作とは逆の方向の動作、即ち、通信アダプタ装置３のネットワーク通信手段７により受信した制御情報が、機器通信手段９及び通信アダプタ通信手段２を介して、誘導加熱調理器１の誘導加熱調理器制御手段５に入力される。ここでは、詳細な説明は割愛する。
【００３５】
以上のように本実施の形態２においては、上述した実施の形態１の効果に加え、誘導加熱調理器１と通信アダプタ装置３とを、機器側共振回路１２及び通信アダプタ装置側共振回路１３を用いて非接触で接続することにより、誘導加熱調理器１及び通信アダプタ装置３の間を接続するコネクタやケーブルが不要となり、これにより、防水性、清掃性などのメンテナンス性を向上させることができる。
【００３６】
また、通信アダプタ装置３の電源は、誘導加熱調理器１の給電手段８から非接触で受電するので、誘導加熱調理器１及び通信アダプタ装置３の間を接続するコネクタやケーブル、又は電池などで電源を供給する必要がなく、防水性、清掃性の向上に加え、電池切れによる電池交換の手間をなくすことができ、メンテナンス性を向上させることができる。
【００３７】
また、通信アダプタ装置３の各手段及び共振回路を、密閉したケースに収め、又は防水性の高い樹脂で封止することにより、通信アダプタ装置３の防水性、清掃性を高めることが可能となる。特に誘導加熱調理器１が設置される台所では水分や油分などによる汚れが発生しやすいことから、好適な通信アダプタ装置３を提供することが可能となる。
【００３８】
また、密閉型のケース又は封止される樹脂を、熱伝導性の高い樹脂を使用することにより、通信アダプタ装置３を、周囲の温度条件が高い誘導加熱調理器１に設置した場合であっても、通信アダプタ装置３の各手段又は回路の発熱を通信アダプタ装置３全体で放熱することが可能となり、通信アダプタ装置３の放熱性を高め、誤動作を防止することが可能である。
【００３９】
また、密閉型のケース又は封止される樹脂を、電波の透過性が高い樹脂を用いることにより、ケース又は封止された樹脂により、特に通信アダプタ装置３が無線方式のホームネットワークに接続する場合には、ネットワーク通信手段７とホームネットワークとの通信が妨害されにくくすることが可能となる。
【００４０】
更に、誘導加熱調理器１においても通信アダプタ装置３との接続にコネクタを設ける必要が無いため、通信アダプタ装置３同様に防水性や、掃除などのメンテナンス性を向上させることができる。
【００４１】
尚、本実施の形態２では、機器側共振回路１２及び通信アダプタ装置側共振回路１３において、コイルとキャパシタとから成る共振回路が１つの場合を説明したが、本発明はこれに限るものではなく、通信用、受給電用の共振回路をそれぞれ別回路として備えても良い。尚、１つの共振回路で実現した方が、当然コストが安くなることは言うまでもない。
【００４２】
実施の形態３．
図３〜図８は本発明の実施の形態３における誘導加熱調理器の通信アダプタ装置設置部の位置と、通信アダプタ装置の設置方法を示す図である。図３〜図８においては、上述した実施の形態１及び２（図１、図２）と同じ又はこれに相当するものには同じ番号を付し、詳細な説明は省略する。
【００４３】
図３〜図５において、化粧パネル１４ａ、１４ｂは、それぞれ誘導加熱調理器１を例えばシステムキッチンにビルトイン設置後に取り付けられ、設置の見栄えを良くする化粧パネルの左（１４ａ）、右（１４ｂ）である。また、図３〜図８において、グリル部ドア１５は、誘導加熱調理器１の前面側に設けられている。即ち、図３〜８における矢印の方向が誘導加熱調理器１の設置時における前方向を示している。更に、図６及び図７において、上面パネル１６は、誘導加熱調理器１の上面に設けられており、この上面パネル１６は、電波の透過性が高い素材、例えば耐熱性が高く電磁誘導が可能なガラスを素材としたもので製造されている。
【００４４】
以下、通信アダプタ装置設置部４の位置と、通信アダプタ装置３の設置方法について、図３〜図８を用いて説明する。
【００４５】
図３においては、通信アダプタ装置設置部４は、誘導加熱調理器１の前面に設けられている。これにより、誘導加熱調理器１が、例えばステンレスなどの金属で覆われたシステムキッチンにビルトイン設置される場合であっても、通信アダプタ装置３と無線方式のホームネットワークとの間の電波が遮蔽されず、通信することが可能である。
【００４６】
図４及び図５においては、通信アダプタ装置設置部４は、誘導加熱調理器１本体の右側面の前面側に設けられている。そして、通信アダプタ装置３を設置しない場合は、図４に示すように、前面の右、左両側に化粧パネル１４ａ、１４ｂが設置される。一方、通信アダプタ装置３を設置する場合は、図５に示すように、化粧パネル１４ｂに換えて通信アダプタ装置３を設置する。これにより、誘導加熱調理器１が、例えばステンレスなどの金属で覆われたシステムキッチンにビルトイン設置される場合であっても、通信アダプタ装置３と無線方式のホームネットワークとの間の電波が遮蔽されず、通信することが可能である。さらに、化粧パネル１４ｂに換えて通信アダプタ装置３を設置しているので、通信アダプタ装置３を設置した場合であっても、誘導加熱調理器１の見栄えを良くすることができる。
【００４７】
尚、上記説明では、通信アダプタ装置設置部４を誘導加熱調理器１本体の右側面の前面側に設けた場合を説明したが、これに限らず、通信アダプタ装置設置部４を誘導加熱調理器１本体の左側面の前面側に設けても良い。さらに、通信アダプタ装置設置部４を誘導加熱調理器１本体の両側に設け、電波状況の良い方に通信アダプタ装置３を設置するようにしても良い。
【００４８】
図６においては、通信アダプタ装置設置部４は、上面パネル１６の下側（直下）に設けられている。そして、通信アダプタ装置３は、上面パネル１６を開けた状態で通信アダプタ装置設置部４に設置され、上面パネル１６の直下に配置される。前述のように、上面パネル１６は電波を透過することから、通信アダプタ装置３と無線方式のホームネットワークとの間の電波が遮蔽されず、通信することが可能である。
【００４９】
図７においては、上面パネル１６は、通信アダプタ装置３を格納する窪部が形成されており、この窪部に通信アダプタ装置設置部４が設けられている。そして、通信アダプタ装置３は、上面パネル１６の窪部に格納される。これにより、通信アダプタ装置３は露出しているため、通信アダプタ装置３と無線方式のホームネットワークとの間の電波が遮蔽されず、通信することが可能である。
【００５０】
図８においては、通信アダプタ装置設置部４は、誘導加熱調理器１本体の前面に形成されたスロットから構成され、このスロットに通信アダプタ装置３が挿入される。これにより、通信アダプタ装置３は露出しているため、通信アダプタ装置３と無線方式のホームネットワークとの間の電波が遮蔽されず、通信することが可能である。さらに、上述した図３の形態に比べ、通信アダプタ装置３が前面から突出した形態にならないため、使い勝手を良くすることができる。また、例えば上述した実施の形態１のように、誘導加熱調理器１と通信アダプタ装置３とが非接触による接続でない場合にも、スロットの奥に誘導加熱調理器１と通信アダプタ装置３との接続部を設けることができるため、汚れなどから接続部を守ることが可能である。
【００５１】
以上のように本実施の形態３においては、通信アダプタ装置設置部４を、当該通信アダプタ装置設置部４に設置される通信アダプタ装置３が無線ネットワークと接続可能な位置に設けたので、ホームネットワークが無線方式の場合であっても、ホームネットワークと通信アダプタ装置３との通信が妨害されにくくすることができ、ホームネットワークによるサービスを安定して提供することが可能となる。
【００５２】
尚、実施の形態１〜３においては、通信アダプタ装置３が無線ネットワークとの通信を媒介する電気機器を誘導加熱調理器１とした場合を説明したが、本発明はこれに限らず、他の家電機器であっても適用することが可能である。特に、機器の周囲又はその一部が電波遮蔽物に囲まれた場合に有効である。
【産業上の利用可能性】
【００５３】
本発明による加熱調理器及び通信アダプタ装置は、ホームネットワークによるホームシステムへの適用が上げられる。
【図面の簡単な説明】
【００５４】
【図１】本発明の実施の形態１における誘導加熱調理器と通信アダプタ装置の構成例を示す図である。
【図２】本発明の実施の形態２における誘導加熱調理器と通信アダプタ装置の構成例を示す図である。
【図３】本発明の実施の形態３における誘導加熱調理器の通信アダプタ装置設置部の位置と、通信アダプタ装置の設置方法を示す図である。
【図４】本発明の実施の形態３における誘導加熱調理器の通信アダプタ装置設置部の位置と、通信アダプタ装置の設置方法を示す図である。
【図５】本発明の実施の形態３における誘導加熱調理器の通信アダプタ装置設置部の位置と、通信アダプタ装置の設置方法を示す図である。
【図６】本発明の実施の形態３における誘導加熱調理器の通信アダプタ装置設置部の位置と、通信アダプタ装置の設置方法を示す図である。
【図７】本発明の実施の形態３における誘導加熱調理器の通信アダプタ装置設置部の位置と、通信アダプタ装置の設置方法を示す図である。
【図８】本発明の実施の形態３における誘導加熱調理器の通信アダプタ装置設置部の位置と、通信アダプタ装置の設置方法を示す図である。
【符号の説明】
【００５５】
１  誘導加熱調理器、２  通信アダプタ通信手段、３  通信アダプタ装置、４  通信アダプタ装置設置部、５  誘導加熱調理器制御手段、６  誘導加熱手段、７  ネットワーク通信手段、８  給電手段、９  機器通信手段、１０  電源手段、１１  制御手段、１２  機器側共振回路、１３  通信アダプタ装置側共振回路、１４ａ  化粧パネル、１４ｂ  化粧パネル、１５  グリル部ドア、１６  上面パネル。
【図１】
2009071527.tif 000003
【図２】
2009071527.tif 000004
【図３】
2009071527.tif 000005
【図４】
2009071527.tif 000006
【図５】
2009071527.tif 000007
【図６】
2009071527.tif 000008
【図７】
2009071527.tif 000009
【図８】
2009071527.tif 000010